(57)【特許請求の範囲】
【請求項１】
光ビームを照射する対物レンズを保持したレンズホルダと、前記レンズホルダに取り付けられたフォーカスコイルおよびトラッキングコイルと、前記フォーカスコイルおよび前記トラッキングコイルに磁力を及ぼす永久磁石と、前記永久磁石を保持したヨークベースと、前記フォーカスコイルおよびトラッキングコイルに通電するための回路基板と、基端部が支持部材に固定され、先端部が前記レンズホルダに形成されたワイヤ挿入穴をそれぞれ通された後に各半田付け用パターンに半田付けされて前記レンズホルダを両側で保持する４本のワイヤとを備え、前記各半田付け用パターンの前記各ワイヤ挿入穴側に、ワイヤ挿入方向とは異なる方向に向き、かつ前記ワイヤの太さよりも細いパターンを少なくとも１ヵ所設けたことを特徴とする対物レンズアクチュエータ装置。
【請求項２】
光ビームを照射する対物レンズを保持したレンズホルダと、前記レンズホルダに取り付けられたフォーカスコイルおよびトラッキングコイルと、前記フォーカスコイルおよび前記トラッキングコイルに磁力を及ぼす永久磁石と、前記永久磁石を保持したヨークベースと、前記フォーカスコイルおよびトラッキングコイルに通電するための回路基板と、基端部が支持部材に固定され、先端部が前記レンズホルダに形成されたワイヤ挿入穴をそれぞれ通された後に各半田付け用パターンに半田付けされて前記レンズホルダを両側で保持する４本のワイヤとを備え、前記各半田付け用パターンが、前記各ワイヤ挿入穴側とは反対側の幅寸法を、前記各ワイヤ挿入穴側の幅寸法よりも小さくし、かつ、前記各半田付け用パターンが、前記各ワイヤ挿入穴側とは反対側を頂点とし、前記各ワイヤ挿入穴側を底辺とする三角形状を有することを特徴とする対物レンズアクチュエータ装置。
【発明の詳細な説明】
【０００１】
【発明の属する技術分野】
本発明は、半導体レーザ等の光源から出射される光ビームを情報記録媒体上に集光し、情報を再生するコンパクトディスクプレーヤ等の光学的記録再生装置に用いられる光ピックアップ装置に関し、特にその対物レンズアクチュエータ装置に関するものである。
【０００２】
【従来の技術】
図５は従来の対物レンズアクチュエータ装置を示している。図５において、レンズホルダ１には、対物レンズ２が保持されるとともに、周囲にフォーカスコイル３を巻いたボビンが装着され、永久磁石５に対向する両端面にはトラッキングコイル４が取り付けられている。永久磁石５は、それぞれヨークベース６の外側の立ち上がり片６ａに固定されている。また、レンズホルダ１の両側面は、それぞれ片側２本ずつの計４本のワイヤ７により、片持ち状態でワイヤ支持部材８に支持されている。ワイヤ支持部材８の外側には、このアクチュエータ装置のための回路パターンを形成したアクチュエータ基板９が取り付けられている。また、レンズホルダ１の両側面には、コイル３、４のための配線パターンを形成したボビン基板１０が取り付けられている。図６に示すように、各ワイヤ７は、レンズホルダ１の両側面に突出して形成された耳部１Ａのワイヤ挿入穴１ａにワイヤ挿入方向Ａに向けて挿入された後、ボビン基板１０の半田付け用パターン１０ａに半田Ｓにより固定される。
【０００３】
以上のように構成された対物レンズアクチュエータについて以下その動作について説明する。対物レンズアクチュエータ組立時において、ワイヤ７は、レンズホルダ２のワイヤ挿入穴１ａから挿入されてボビン基板１０に半田付け固定される。 ワイヤ７によって移動可能に保持されたレンズホルダ１は、レンズホルダ１に設けられたフォーカスコイル３およびトラッキングコイル４に必要電流を通電することで、対向する永久磁石５との相互作用により、フォーカシング方向Ｆおよびトラッキング方向Ｔに必要量だけ移動する。このアクチュエータ装置の全体は、図示されない基台に支持され、この基台がディスクの半径方向に移動して、記録媒体上に記録されたトラックの信号を読み取って行くことになる。
【０００４】
【発明が解決しようとする課題】
しかしながら、上記の従来の構成では、ワイヤ７をボビン基板１０の半田付け用パターン１０ａに半田Ｓにより固定する際に、ワイヤ７の固定端の位置は、設計的には半田付け用パターン１０ａの端部、すなわち半田付け用パターン１０ａとワイヤ挿入穴１ａとの境界で一定であるが、実際には、半田Ｓに含まれている固定を促進するためのフラックスがワイヤ挿入穴１ａに流入して固化し、半田付け完了時点では、その固化したフラックスによってワイヤ７の固定端が移動し、結果として４本のワイヤ７の長さがばらばらになるという問題があった。このため、レンズホルダ１の移動時にレンズホルダ１を水平に保持することが難しいという問題を有していた。
【０００５】
本発明は、このような従来の問題を解決するものであり、ワイヤの固定端の位置のばらつきを低減して、レンズホルダ移動時の挙動を安定させることのできる対物レンズアクチュエータ装置を提供することを目的とする。
【０００６】
【課題を解決するための手段】
上記目的を達成するために、本発明の対物レンズアクチュエータ装置は、光ビームを照射する対物レンズを保持したレンズホルダと、前記レンズホルダに取り付けられたフォーカスコイルおよびトラッキングコイルと、前記フォーカスコイルおよび前記トラッキングコイルに磁力を及ぼす永久磁石と、前記永久磁石を保持したヨークベースと、前記フォーカスコイルおよびトラッキングコイルに通電するための回路基板と、基端部が支持部材に固定され、先端部が前記レンズホルダに形成されたワイヤ挿入穴をそれぞれ通された後に各半田付け用パターンに半田付けされて前記レンズホルダを両側で保持する４本のワイヤとを備え、前記レンズホルダの各ワイヤ挿入穴と前記各半田付け用パターンとの間に隙間を設けたことを特徴するものである。この構成により、半田付けの際に、ワイヤ挿人穴と半田付け用パターンとの間の隙間により、ワイヤ挿人穴に半田フラックスが入りにくくなるので、ワイヤ固定端の位置が移動することがなく、レンズホルダ移動時の挙動を安定させることができることとなる。
【０００７】
また、本発明の対物レンズアクチュエータ装置は、光ビームを照射する対物レンズを保持したレンズホルダと、前記レンズホルダに取り付けられたフォーカスコイルおよびトラッキングコイルと、前記フォーカスコイルおよび前記トラッキングコイルに磁力を及ぼす永久磁石と、前記永久磁石を保持したヨークベースと、前記フォーカスコイルおよびトラッキングコイルに通電するための回路基板と、基端部が支持部材に固定され、先端部が前記レンズホルダに形成されたワイヤ挿入穴をそれぞれ通された後に各半田付け用パターンに半田付けされて前記レンズホルダを両側で保持する４本のワイヤとを備え、前記各半田付け用パターンの前記各ワイヤ挿入穴側に、ワイヤ挿入方向とは異なる方向に向き、かつ前記ワイヤの太さよりも細いパターンを少なくとも１ヵ所設けたことを特徴とするものである。この構成により、半田付けの際に、熱容量の小さい細いパターンの部分が早く加熱されて、半田が細いパターンの方向に引き寄せられるので、ワイヤ挿人穴に半田フラックスが入りにくくなる。このため、ワイヤ固定端の位置が移動することがなく、レンズホルダ移動時の挙動を安定させることができることとなる。
【０００８】
また、本発明の対物レンズアクチュエータ装置は、光ビームを照射する対物レンズを保持したレンズホルダと、前記レンズホルダに取り付けられたフォーカスコイルおよびトラッキングコイルと、前記フォーカスコイルおよび前記トラッキングコイルに磁力を及ぼす永久磁石と、前記永久磁石を保持したヨークベースと、前記フォーカスコイルおよびトラッキングコイルに通電するための回路基板と、基端部が支持部材に固定され、先端部が前記レンズホルダに形成されたワイヤ挿入穴をそれぞれ通された後に各半田付け用パターンに半田付けされて前記レンズホルダを両側で保持する４本のワイヤとを備え、前記各半田付け用パターンが、前記各ワイヤ挿入穴側とは反対側の幅寸法を、前記各ワイヤ挿入穴側の幅寸法よりも小さくしたことを特徴するものである。この構成により、半田付けの際に、ワイヤ挿入穴側とは反対側の熱容量の小さいパターン部分が早く加熱されて、半田がワイヤ挿入穴とは反対方向に引き寄せられるので、ワイヤ挿人穴に半田フラックスが入りにくくなる。このため、ワイヤ固定端の位置が移動することがなく、レンズホルダ移動時の挙動を安定させることができることとなる。
【０００９】
また、本発明の対物レンズアクチュエータ装置は、前記各半田付け用パターンが、前記各ワイヤ挿入穴側とは反対側を頂点とし、前記各ワイヤ挿入穴側を底辺とする三角形状を有することを特徴とするものであり、ワイヤを三角形の半田付け用パターンの頂点部分に確実に固定することができるので、ワイヤ固定端の位置を正確に位置決めすることができることとなる。
【００１０】
また、本発明の対物レンズアクチュエータ装置は、光ビームを照射する対物レンズを保持したレンズホルダと、前記レンズホルダに取り付けられたフォーカスコイルおよびトラッキングコイルと、前記フォーカスコイルおよび前記トラッキングコイルに磁力を及ぼす永久磁石と、前記永久磁石を保持したヨークベースと、前記フォーカスコイルおよびトラッキングコイルに通電するための回路基板と、基端部が支持部材に固定され、先端部が前記レンズホルダに形成されたワイヤ挿入穴をそれぞれ通された後に各半田付け用パターンに半田付けされて前記レンズホルダを両側で保持する４本のワイヤとを備え、前記各半田付け用パターンが、前記各ワイヤ挿入穴よりもワイヤ挿入方向手前側に設けられていることを特徴とするものである。この構成により、半田付けの際に、ワイヤ挿人穴に半田フラックスが入りことによる影響を全く受けることがないので、ワイヤ固定端の位置が正確に決まり、レンズホルダ移動時の挙動を安定させることができることとなる。
【００１１】
【発明の実施の形態】
以下、本発明の実施の形態について、図面を参照しながら説明する。
（実施の形態１）
図１は本発明の実施の形態１における対物レンズアクチュエータ装置の要部を示している。装置全体の構成は図５に示した従来例と同様なので、同様な要素には同様な符号を付してある。図１において、レンズホルダ１には、その両側面に形成された耳部１Ａにワイヤ挿入穴１ａが形成されている。また、ボビン基板１０には、半田付け用パターン１１が形成されている。この半田付け用パターン１１は、ワイヤ挿入穴１ａから距離Ｌだけ離れている。
【００１２】
以上のように、本実施の形態１によれば、半田付け用パターン１１が、ワイヤ挿入穴１ａから距離Ｌだけ離れているので、ワイヤ７をワイヤ挿入穴１ａにワイヤ挿入方向Ａから挿入して、半田付け用パターン１１に半田Ｓにより半田付けする際に、フラックスがワイヤ挿入穴１ａに流れ込むことがなく、フラックスによるワイヤ固定端の位置の移動がないので、レンズホルダ移動時の挙動を安定させることができる。
【００１３】
（実施の形態２）
図２は本発明の実施の形態２における対物レンズアクチュエータ装置の要部を示している。装置全体の構成は図５に示した従来例と同様なので、同様な要素には同様な符号を付してある。図２において、レンズホルダ１には、その両側面に形成された耳部１Ａにワイヤ挿入穴１ａが形成されている。また、ボビン基板１０には、半田付け用パターン２１が形成されている。半田付け用パターン２１は、ワイヤ挿入穴１ａから距離Ｌだけ離れている。また、この半田付け用パターン２１は、ワイヤ挿入穴１ａ側に、ワイヤ挿入方向Ａに対し直角方向の両側に延び、かつワイヤ７の太さＤよりも小さい幅ｄを有する細いパターン２１ａが形成されている。この細いパターン２１ａは、少なくとも１箇所設けるだけでもよく、その方向は、ワイヤ７の挿入方向Ａと異なっていればよい。またその幅ｄは、均一でなくてもよく、付け根部分を半田Ｓが流れやすいように曲線にしてもよい
【００１４】
以上のように、本実施の形態２によれば、半田付け用パターン２１のワイヤ挿入穴１ａ側に、ワイヤ７の挿入方向Ａとは異なる方向に向き、かつワイヤの太さＤよりも小さい幅ｄの細いパターン２１ａを設けたので、ワイヤ７をワイヤ挿入穴１ａから挿入して、半田付け用パターン２１に半田Ｓにより半田付けする際に、熱容量の小さい細いパターン２１ａの部分が早く加熱されて、半田Ｓが細いパターン２１ａの方向に引き寄せられるので、ワイヤ挿人穴に半田フラックスが入りにくくなる。このため、フラックスによるワイヤ固定端の位置の移動がなく、レンズホルダ移動時の挙動を安定させることができる。
【００１５】
なお、本実施の形態２においては、半田付け用パターン２１が、ワイヤ挿入穴１ａから距離Ｌだけ離れているが、距離Ｌは、最小ゼロまで許容できるものである。
【００１６】
（実施の形態３）
図３は本発明の実施の形態３における対物レンズアクチュエータ装置の要部を示している。装置全体の構成は図５に示した従来例と同様なので、同様な要素には同様な符号を付してある。図３において、レンズホルダ１には、その両側面に形成された耳部１Ａにワイヤ挿入穴１ａが形成されている。また、ボビン基板１０には、半田付け用パターン３１が形成されている。この半田付け用パターン３１は、ワイヤ挿入穴１ａ側とは反対側の幅寸法Ｈ２を、ワイヤ挿入穴１ａ側の幅寸法Ｈ１よりも小さく形成したものである。
【００１７】
以上のように、本実施の形態３によれば、半田付け用パターン３１のワイヤ挿入穴１ａ側とは反対側の幅寸法Ｈ２を、ワイヤ挿入穴１ａ側の幅寸法Ｈ１よりも小さく形成したので、ワイヤ７をワイヤ挿入穴１ａから挿入して、半田付け用パターン３１に半田Ｓにより半田付けする際に、ワイヤ挿入穴１ａ側とは反対側の熱容量の小さい幅Ｈ２のパターン部分が早く加熱されて、半田Ｓがワイヤ挿入穴１ａとは反対方向に引き寄せられるので、ワイヤ挿人穴１ａに半田フラックスが入りにくくなる。このため、フラックスによるワイヤ固定端の位置の移動がなく、レンズホルダ移動時の挙動を安定させることができる。
【００１８】
なお、本実施の形態３において、幅Ｈ２の寸法をゼロとして、判断付け用パターン３１を、ワイヤ挿入穴１ａ側とは反対側を頂点とし、ワイヤ挿入穴１ａ側を底辺とする三角形状としてもよい。こうすることにより、ワイヤ挿入穴１ａ側とは反対側の三角形状の頂点部分がいち早く加熱固定されて、ワイヤ固定端の図において上下方向の位置決めが素早く行われるので、ワイヤ固定端の長さ方向の位置のみでなく、上下方向の位置のばらつき少なくすることができる。
【００１９】
また、本実施の形態３においては、半田付け用パターン３１が、ワイヤ挿入穴１ａに隣接しているが、上記実施の形態１および２と同様に、半田付け用パターン３１をワイヤ挿入穴１ａから離して配置してもよい。
【００２０】
（実施の形態４）
図４は本発明の実施の形態４における対物レンズアクチュエータ装置の要部を示している。本実施の形態４が図５に示した従来例と異なるのは、レンズホルダ１の耳部１Ａの位置とボビン基板１０の位置とが入れ替わっており、従って、半田付け用パターン４１が、ワイヤ挿入穴１ａよりもワイヤ挿入方向Ａにおいて手前側に設けられていることである。
【００２１】
以上のように、本実施の形態４によれば、半田付け用パターン４１が、ワイヤ挿入穴１ａよりもワイヤ挿入方向Ａの手前側に設けられているので、ワイヤ７をワイヤ挿入穴１ａから挿入して、半田付け用パターン４１に半田Ｓにより半田付けする際に、ワイヤ挿人穴１ａに半田フラックスが入っても、ワイヤ固定端の位置は全く影響を受けることがないので、ワイヤ固定端の位置が正確に決まり、レンズホルダ移動時の挙動を安定させることができる。
【００２２】
【発明の効果】
以上説明したように、本発明の対物レンズアクチュエータ装置は、ワイヤ挿入穴と半田付け用パターンとの間に隙間を設けたり、半田付け用パターンのワイヤ挿入穴側に、ワイヤの太さよりも細いパターンを設けたり、半田付け用パターンのワイヤ挿入穴とは反対側の幅寸法をワイヤ挿入穴側の幅寸法よりも小さくしたり、半田付け用パターンをワイヤ挿入穴の手前側に設けることにより、４本のワイヤの先端部を半田付け用パターンに半田付けする際に、半田に含まれているフラックスがワイヤ挿入穴に流入して固化することによるワイヤの固定端位置のばらつきを低減することができる。これにより、レンズホルダの移動時の安定性を確保し、アクチュエータ性能のばらつきを低減することができるとともに、対物レンズ移動時の媒体との平行度確保、および１次共振周波数のばらつき低減することができる。
【図面の簡単な説明】
【図１】本発明の実施の形態１における対物レンズアクチュエータ装置の要部断面図
【図２】本発明の実施の形態２における対物レンズアクチュエータ装置の要部断面図
【図３】本発明の実施の形態３における対物レンズアクチュエータ装置の要部断面図
【図４】本発明の実施の形態４における対物レンズアクチュエータ装置の要部断面図
【図５】従来例における対物レンズアクチュエータ装置の斜視図
【図６】従来例における対物レンズアクチュエータ装置の要部断面図
【符号の説明】
１  レンズホルダ
１Ａ  耳部
１ａ  ワイヤ挿入穴
２  対物レンズ
３  フォーカスコイル
４  トラッキングコイル
５  永久磁石
６  ヨークベース
７  ワイヤ
８  ワイヤ支持部材
９  アクチュエータ基板
１０  ボビン基板
１１、２１、３１、４１  半田付け用パターン
【図１】
0004043696.tif 000002
【図２】
0004043696.tif 000003
【図３】
0004043696.tif 000004
【図４】
0004043696.tif 000005
【図５】
0004043696.tif 000006
【図６】
0004043696.tif 000007